(57)【要約】【課題】簡易な構造で十分な防水耐久性を有し、且つ、施工も容易な外装パネル構造およびこれに用いる外装パネルを提供する。【解決手段】外表面の少なくとも一つの縁辺から透過性の接合薄体２０を突き出して取り付けた方形のパネル１０の前記接合薄体２０を隣接するパネル１０の外表面に重ね合わせ、接合薄体２０の上から硬化接着性の防水材３０を塗布して構成した外装パネル構造およびこれに用いる外装パネル。【選択図】          図１
2004211331.tif 000002
【特許請求の範囲】
【請求項１】
外表面の少なくとも一つの縁辺から透過性の接合薄体を突き出して取り付けた方形のパネルの前記接合薄体を隣接するパネルの外表面に重ね合わせ、接合薄体の上から硬化接着性の防水材を塗布して構成したことを特徴とする外装パネル構造。
【請求項２】
前記パネルの少なくとも一対の向かい合う辺に所定の幅の段差を形成し、該段差面に前記接合薄体を設けた請求項１に記載の外装パネル構造。
【請求項３】
接合部の段差を覆う化粧キャップを取り付けた請求項２に記載の外装パネル構造。
【請求項４】
前記接合薄体が網状体である請求項１、２または３に記載の外装パネル構造。
【請求項５】
前記パネルが複合パネルである請求項１、２、３または４に記載の外装パネル構造。
【請求項６】
外表面の少なくとも一つの縁辺から突き出た透過性の接合薄体を取り付けた方形のパネルであって、前記接合薄体を隣接するパネル外表面に重ね合わせ、接合薄体上に硬化接着性の防水材を塗布することにより隣接するパネルを相互に接合するようになしたことを特徴とする外装パネル。
【請求項７】
前記パネルの少なくとも一対の向かい合う辺に所定の幅の段差を形成し、該段差面に前記接合薄体を設けた請求項６に記載の外装パネル。
【請求項８】
前記接合薄体が網状体である請求項６または７に記載の外装パネル。
【請求項９】
前記パネルが複合パネルである請求項６、７または８に記載の外装パネル。
【発明の詳細な説明】
【０００１】
【発明の属する技術分野】
本発明は、建物の外壁、屋根などに用いられる外装パネル構造およびそれに用いられる外装パネルに関する。
【０００２】
【従来の技術】
建物の外装（外壁、屋根など外部環境に面した構造面）に用いられる建材としては、パネル形体に枠組みされた木枠の外面に外装材（外装塗布、サイディングボード・他の外装材（外装塗布、サイデイングボード、他の外装材）の取付け、その他の外装を有するもの）を、木枠の内面に内装材を張付けた複合パネルあるいは構造強度を有する各種単板状のパネルなどがあり、また、複合パネルとしては、内部に断熱材、防音材などの機能材を内蔵したものも使用される。
【０００３】
このようなパネルを順次、接合して設けたパネル構造の外装においては、各パネルの接合面（目地）は、コーキング、パッキング、シーリング、目地材を用いた湿式あるいは乾式の目地詰めにより、防水、漏水シールが行われているが、現在のところ、これらのコーキング材、シーリング材などには十分な耐久性が無く、建築後定期的な補修が必要とされ、建物保全上の大きな問題となっている。
【０００４】
また、防水シートなどでパネル接合部を被覆する方法も提案されているが、防水シート、ルーフィングをパネルに取り付けるために使用する釘、ステップル・ビスなどの貫通穴の周りから雨水が侵入し、漏水にいたる問題がある。
【０００５】
【発明が解決しようとする課題】
本発明はかかる問題に鑑みなされたものであり、簡易な構造で十分な防水耐久性を有し、且つ、施工も容易で外部と完全に遮断される外装パネル構造およびこれに用いる外装パネルを提供するものである。
【０００６】
【課題を解決するための手段】
本発明の外装パネル構造は、外表面の少なくとも一つの縁辺から透過性の接合薄体を突き出して取り付けた方形のパネルの前記接合薄体を隣接するパネルの外表面に重ね合わせ、接合薄体の上から硬化接着性の防水材を塗布して構成したことを特徴とする。
【０００７】
透過性の接合薄体の上から硬化接着性の防水材を塗布して、隣接するパネルどうしを緊密に接合すると同時に防水材で接合面を被覆するので、防水は確実に達成されると共に接合薄体で補強された耐水接合層でパネルが連結され、構造強度も十分なものとなるのである。また、凍害、クラック、シーリング切れも発生せず、施工も容易で、防水材面をそのまま仕上げ外装面として用いることも出来る。
【０００８】
パネルの少なくとも一対の向かい合う辺に所定の幅の段差を形成し、段差面に接合薄体を設けたものは、段差面以外のパネルの外面をそのまま外装面として利用でき、また、接合のための防水材、接合薄体の使用量を合理化できる。また、段差部を覆う化粧キャップを取り付けたものは外装の装飾に寄与でき、接合薄体が網状体であるものは防水材の浸透が容易であり、補強効果も高い。パネルが複合パネルであるものは、断熱、防音、耐火などの機能を持たせることができる。
【０００９】
本発明の外装パネルは、その外表面の少なくとも一つの縁辺から突き出た透過性の接合薄体を取り付けた方形のパネルであって、接合薄体を隣接するパネル外表面に重ね合わせ、接合薄体上に硬化接着性の防水材を塗布することにより隣接するパネルを相互に接合するようになしたものである。これにより、簡易な構造で施工が容易な防水耐久性の高い外装構造を達成できる。
【００１０】
パネルの少なくとも一対の向かい合う辺に所定の幅の段差を形成し、段差面に接合薄体を設けたものは、パネル外装面を有効に利用でき、また、接合薄体、防水材の使用を合理化できる。接合薄体が網状体であるものは防水材の浸透が容易であり、補強効果も高い。パネルが複合パネルであるものは外装パネルに断熱、防音、耐火などの機能を持たせることができる。
【００１１】
【発明の実施の形態】
以下、図面に基づき詳細に説明する。図１は、本発明の外装パネル構造（壁体）および外装パネルの一実施形態を示す模式的断面図（水平面で切断した図）であり、図２は、図１のパネル構造に用いられる外装パネルの模式的斜視図である。図３は、パネル端部に段差を設けた実施形態の模式的断面図、図４は、化粧キャップを設けた実施形態の接合部の模式的部分断面図、図５は、外断熱方式の実施形態の模式的断面図、図６、図７はコーナ部（出隅、入隅）の実施形態の模式的断面図、図８は屋根に適用した実施形態の模式的部分断面図である。
【００１２】
図１、２に示したものは、耐火、構造用断熱複合パネルに本発明を適用した一実施形態であって、図において、複合パネル１０は、構造用耐火性の外面材１１、断熱材１２、耐火性の内面材１３、および内柱１４からなり、外面材１１と内面材１３とで断熱材１２をサンドウィッチ状に挟み込んだものであり、外面材１１と断熱材１２を組んだパネルを建物の各柱Ｘ、間柱Ｙの間にはめ込むように取り付けたものである。
【００１３】
網状の接合薄体（メッシュ）２０はパネル１０の外表面、すなわち外面材１１外表面に取り付けられ、一対の交差する縁辺部からＬ字状に突き出た接合片２１を有する。硬化接着性の防水材３０は、接合薄体２０の上からパネル１０の外表面すなわち外面材１１表面に塗布され、パネル１０の接合面Ｍ（目地）を覆って、外装パネル１０の外表面全体を被覆する（場合によっては、外面材の縁辺部のみに防水材を塗布することもできる）。
【００１４】
隣接するパネル１０どうしは、接合面（目地）Ｍを含めて防水材３０で接着、被覆されるので、防水は確実に達成されると共に接合薄体２０で補強された防水材３０の層でパネルが連結され、構造強度も十分なものとなるのである。また、パネル１０をセッティングして、防水材３０を塗布するだけであるから施工も容易である。
【００１５】
本実施形態では透過性の接合薄体として、メッシュ（網状体）を説明した。メッシュ材質としては、耐アルカリ性ファイバーメッシュ、ビニールメッシュ、ナイロンメッシュ、金属性メッシュを用いることができる。透過性の接合薄体としては、メッシュ（網状体）に限らず、場合によっては、強度があり、防水材を浸透させる透過性のある不織布、布その他の透過性薄体なども用いることができ、柔軟で形になじみ易い材質のものが取り扱い、接合性に対し好適である。
【００１６】
また、接合薄体のパネルへの取り付けについて言えば、後に接合薄体は防水材で被覆されるものであるから施工前には薄体がパネルから脱落しないように付着してあれば良く、適宜の接着剤で取り付けることができ、例えば熱溶融性の材質であれば溶融接着しても良く任意の方法で取り付けることができる。後述のように、予め防水材で接合薄体を取り付けると同時にパネルを防水材で被覆することもできる。接合薄体の突き出し部の幅は、パネルの大きさ、薄体の強度、防水材の接着強度などにより適宜決定されるものである。
【００１７】
硬化接着性の防水材としては、繊維強化複合モルタル、セメント系カチオン性樹脂モルタル塗材、繊維強化複合モルタルに微弾性フィラー、アクリルフィラー、カチオンフィラーあるいは水性防水材を加えたもの、接着樹脂モルタル、水性防火塗料など耐久性のある硬化接着性の防水材が好適に使用でき、粘調な液状で接合薄体に浸透し、硬化接着性があり、防水性で、現場施工（塗布）に適したものであればよく、パネル材質、接合薄体材質、透過性との兼ね合いで適宜の材料を選択することができる。
【００１８】
なお、構造用耐火性の外面材としては、強化石膏ボード、硬質木片セメント板、繊維補強セメント板、珪酸カルシウム板、木繊維補強セメント板、ＡＬＣ薄型パネルなどが使用でき、耐火性の内面材としては、強化石膏ボード、繊維補強セメント板、珪酸カルシウム板、木繊維補強セメント板などが使用できる。
【００１９】
図１、２に示した実施形態の外装パネル構造においては、外装パネル１０を縦横に接合するために、接合薄体２０をＬ字状（上下、左右に隣接するパネルの接合のため）に突き出したが、パネル接合が、一方向で良い場合は一の縁辺から突き出すのみで良く、また、この実施形態においては、所定幅の接合薄体２０を外面材１１の縁辺部に取り付けたが、場合によっては、接合薄体を外表面の全面に取り付けることも出来る。この場合、パネル接合強度および構造強度が向上する。
【００２０】
防水材層について言えば、上述の実施形態においてはパネル全面に塗布するものを例示した。これは、パネル外面の防水材層の上に塗装を施す場合あるいは防水材層を被覆する化粧パネルなどを貼り付ける場合には好適であるが、比較的に防水材の使用量も多くなり、施工時間も掛かる。
【００２１】
これに対し、図３に示す実施形態においては、複合パネル１１０の外面材１１１の両端縁辺部に段差１１１Ａを設け、この段差１１１Ａ内に接合薄体１２０を取り付け、防水材１３０を段差１１１Ａ内に充填し、接合、連結と目地部Ｍの封止、防水を行うものであり、接合薄体、防水材の使用量が合理化できる。また、外面材１１１の表面をそのまま外装面として利用することが出来る。
【００２２】
なお、本実施形態においても、複合パネルの構造は、図１、２のものと基本的に同一であるので同一の部分については、図１、２と同様の符号を付し説明は省略する。
【００２３】
図３に示した形態のものにおいては、図４に示すように、外面材２１１の接合部の段差２１１Ａを、接合薄体２２０、防水材２３０の層厚さより深くして上から細長の化粧キャップ２４０を被せることもできる。金属板、樹脂板などの弾性材料からなる断面門型の化粧キャップ２４０の装着脚部２４０Ａの外面にきざみ２４０Ｂを形成し、段差２１１Ａの側面に形成したきざみ２１１Ｂに係着するようにすれば簡易にかつ強固に化粧キャップ２４０を取り付けることができる。
【００２４】
しかし、化粧キャップ２４０の取り付け方法、材質などはこれに限らず任意の取り付け方法を採用でき、また、その形状も適宜選択できる。
【００２５】
図５に示した実施形態のものは、外断熱複合パネル構造に本発明を適用した一実施形態を示すものである。この複合パネル３１０は、建物の柱Ｘと複数の間柱Ｙの外面に取り付けた構造用中間面材３１２と断熱性パネルである外面材３１１からなる複合パネルであり、建物の内部には内面材３１３が取り付けられる。
【００２６】
外面材３１１の両端部にテーパ-状の傾きを有する段差３１１Ａが形成され、一端の段差３１１Ａから突き出し隣接する段差内に収まるような接合薄体３２０を、他端の段差３１１Ａ部を除き外面材３１１の全面に予め防水材３３０で接着してある複合パネルであり、パネル構造の施工時に段差３１１Ａに防水材３３０Ａを塗布、充填して接合目地を封止接合するものである。これにより現地施工時間を短縮することができる。段差底面をテーパ状に傾斜させることにより目地部への防水材の流れ、充填を円滑にすることができる。
【００２７】
なお、段差の形状については、図３の実施形態のような階段状の段差、図５の実施形態のような傾斜底面を持った段差、端面を斜めに削ぎ落とした形状の段差でもよく、パネル表面とは異なる別異の表面を形成するものであればよい。
【００２８】
図６、図７はコーナ部に本発明を適用した実施形態を示すものであり、両端に段差４１０Ａを設けたパネル４１０の一端の段差４１０Ａ内に予め透過性の接合薄膜４２０を取り付けておいて、この透過性の接合薄膜４２０を、コーナ柱ＸＣを介して直角につき合わせた隣接のパネルの段差４１０Ａに重ね合わせて防水材（図示せず）で接合、封止するものである。図６は出隅、図７は入隅の実施形態を示す。
【００２９】
図８は屋根構造に本発明を適用した例を示すもので、屋根パネル５１０の一端の段差５１０Ａ内に透過性の接合薄膜５２０を硬化接着性の防水材５３０で予め取り付け、この透過性の接合薄膜５２０を、棟木ＸＲを介して傾斜角をもって突き合わせた隣の屋根パネル５１０の段差５１０Ａに重ね合わせて防水材（図示せず）で接合、封止するものであり、頂部を化粧カバー（化粧矢切り）５４０で覆うこともできる。
【００３０】
上述の各実施形態においては、外装パネルとして主として複合パネルを説明したが、本発明の外装パネルは、複合パネル（枠体に面材を貼り付けた構造、各種面材を貼り合わせたものなど）に限らず単板構造のパネルに適用できることは説明を要しないであろう。また、外装パネル構造として、縦目地構造の壁構造に適用した例を説明したが、横目地構造（水平方向にパネルを接合するもの）にも適用でき、また、屋根などの外装に適用できるものである。
【００３１】
更に、上述の各実施形態のパネルについては、一端に接合薄膜を取り付け、他端をブランク（接合薄膜なし）にした同形のパネルどうしの組み合わせ接合について説明したが、両端に接合薄膜を取り付けたパネルと両端ブランクのパネルを交互に組み合わせ、パネル構造を構成することもできる。
【００３２】
【発明の効果】
本発明の外装パネル構造は、外表面の少なくとも一つの縁辺から透過性の接合薄体を突き出して取り付けた方形のパネルの前記接合薄体を隣接するパネルの外表面に重ね合わせ、接合薄体の上から硬化接着性の防水材を塗布して構成するので、隣接するパネルどうしを緊密に接合すると同時に接合面が被覆され、防水は確実に達成されると共に接合薄体で補強された耐水接合面でパネルが連結され、構造強度も十分なものとなり、施工も容易である。
【００３３】
また、本発明の外装パネルは、外表面の少なくとも一つの縁辺から突き出た透過性の接合薄体を取り付けた方形のパネルであって、前記接合薄体を隣接するパネル外表面に重ね合わせ、接合薄体上に硬化接着性の防水材を塗布することにより、パネルを接合するようになしたので、簡易な構造で施工が容易な防水耐久性の高い外装構造を達成できる。
【図面の簡単な説明】
【図１】本発明の外装パネル構造（壁体）および外装パネルの一実施形態を示す模式的
断面図（水平面で切断した図）。
【図２】図１のパネル構造に用いられる外装パネルの模式的斜視図。
【図３】パネル端部に段差を設けた実施形態の模式的断面図。
【図４】化粧キャップを設けた実施形態の接合部の模式的部分断面図。
【図５】外断熱方式の実施形態の模式的断面図。
【図６】コーナ部（出隅）に適用した実施形態の模式的断面図。
【図７】コーナ部（入隅）に適用した実施形態の模式的断面図。
【図８】屋根に適用した実施形態の模式的部分断面図。
【符号の説明】
１０、１１０、３１０、４１０、５１０                    外装パネル
１１、１１１、２１１、３１１                            外面材
１１１Ａ、２１１Ａ、３１１Ａ、４１０Ａ、５１０Ａ        段差
２０、１２０、２２０、３２０、４２０、５２０            接合薄体
３０、１３０、２３０、３３０、３３０Ａ、４３０、５３０  防水材
【図１】
2004211331.tif 000003
【図２】
2004211331.tif 000004
【図３】
2004211331.tif 000005
【図４】
2004211331.tif 000006
【図５】
2004211331.tif 000007
【図６】
2004211331.tif 000008
【図７】
2004211331.tif 000009
【図８】
2004211331.tif 000010